(57)【要約】【課題】オンオフ運転状態などとなっても、再生現像液の品質不良の問題が生じず、後段にＣＰ等の精製装置が設置されるとしてもその負荷上昇といった問題が生じないフォトレジスト現像廃液の再生処理装置を提供する。【解決手段】このフォトレジスト現像廃液の再生処理装置は、フォトレジスト及びテトラアルキルアンモニウムイオンを少なくとも含む現像廃液又は該現像廃液に由来する処理液からテトラアルキルアンモニウムイオンを分離回収する一段又は多段の分離回収装置（例えば、ＮＦ膜分離装置や電気透析処理装置）、および、該分離回収装置の該一段からの分離回収液又は該多段の少なくとも第一段からの分離回収液を系外にブローする機構及び／又は該分離回収装置の前段に戻す機構を包含する。【選択図】      図１
2005175118.tif 000002
【特許請求の範囲】
【請求項１】
フォトレジスト及びテトラアルキルアンモニウムイオンを少なくとも含む現像廃液又は該現像廃液に由来する処理液からテトラアルキルアンモニウムイオンを分離回収する一段又は多段の分離回収装置、および、該分離回収装置の該一段からの分離回収液又は該多段の少なくとも第一段からの分離回収液を系外にブローする機構及び／又は該分離回収装置の前段に戻す機構を包含することを特徴とするフォトレジスト現像廃液の再生処理装置。
【請求項２】
前記分離回収装置が、ナノフィルトレーション膜によりフォトレジスト等の不純物が濃縮された濃縮液とテトラアルキルアンモニウムイオンを主として含む透過液に分離する膜分離装置であり、前記分離回収液が該透過液であることを特徴とする請求項１に記載のフォトレジスト現像廃液の再生処理装置。
【請求項３】
前記分離回収装置が、電気透析処理装置又は電解処理装置であり、前記分離回収液が電気透析処理又は電解処理による濃縮液であることを特徴とする請求項１に記載のフォトレジスト現像廃液の再生処理装置。
【請求項４】
前記分離回収装置が所定時間以上停止した後に再起動する際、前記分離回収液を所定量又は所定時間だけ系外にブローするか又は該分離回収装置の前段に戻す手段を更に包含することを特徴とする請求項１から３のいずれかに記載のフォトレジスト現像廃液の再生処理装置。
【発明の詳細な説明】
【技術分野】
【０００１】
本発明は、半導体デバイス、液晶ディスプレイ（ＬＣＤ）やプラズマディスプレイパネル（ＰＤＰ）等のフラットパネルディスプレイ、プリント基板等の電子部品の製造工場等から発生するフォトレジスト及びテトラアルキルアンモニウムイオン（以下、「ＴＡＡイオン」と略称する）を含有するフォトレジスト現像廃液から現像液を再生するフォトレジスト現像廃液の再生処理装置に関する。
【背景技術】
【０００２】
半導体デバイス、フラットパネルディスプレイ、プリント基板等の電子部品等の製造過程には、フォトリソグラフィー工程が含まれる。この工程では、ウエハやガラス基板等の基板上にフォトレジストの皮膜を形成し、その所定部分に光等を照射し、次いで現像液により不要のフォトレジストを溶解して現像し、微細なパターンを形成し、更にエッチング等の処理を行った後、基板上の不溶性のフォトレジスト膜を剥離する。フォトレジストは、露光部分が現像液に可溶性となるポジ型と露光部分が不溶性となるネガ型がある。半導体デバイスやフラットパネルディスプレイ等の電子部品の製造分野ではポジ型フォトレジストが主として使用され、その現像液はアルカリ現像液である。このアルカリ現像液としては、通常、水酸化テトラメチルアンモニウム（以下、時に「ＴＭＡＨ」と略す）や水酸化トリメチル（２−ヒドロキシエチル）アンモンニウム（即ち、コリン）等の水酸化テトラアルキルアンモニウム（テトラアルキルアンモニウムヒドロオキシドなので、「ＴＡＡ−ＯＨ」又は「ＴＡＡＨ」と略す）の水溶液が使用されている。なお、ネガ型フォトレジストの現像液としては有機溶剤系現像液が主流であるが、アルカリ現像液を用いるものもある。
【０００３】
従って、フォトリソグラフィー工程の現像工程から排出される廃液（「フォトレジスト現像廃液」と言い、時に「現像廃液」と略称する）には、通常、溶解したフォトレジストとＴＡＡイオンが含有されている。ここで、ＴＡＡイオンは、上述したことより明らかな通り、通常は水酸化物イオン（ＯＨ−）を対イオンとするものであるが、廃液（廃水）は工場によって異なってくるものであり、何が混入してくるか分からず、また、場合によっては他の廃水と混合されることがあり得るので、他種のイオンを対イオンとする塩の形の場合もあり得る。従って、本明細書中の一般的な説明では対イオンを特定せず、「イオン」と言う概念で捉えたものである。しかし、廃液中のＴＡＡイオンは、上述のように、通常はＴＡＡＨとして存在するので、これを中心として本発明を説明する。
【０００４】
従来、ＴＡＡイオンを含有するフォトレジスト現像廃液を処理する方法としては、全量業者引取する方法、蒸発法や逆浸透膜法により濃縮し廃棄処分（焼却又は業者引取）する方法、活性汚泥により生物分解処理し放流する方法があるが、ＴＡＡＨは環境に有害で比較的高価な薬品であり使用量も多く、環境保護や資源の有効活用の観点から、近年は上記の様にして得た濃縮廃液あるいはもともとＴＡＡイオン濃度の高い濃厚廃液についてはナノフィルトレーション膜（以下、「ＮＦ膜」と略称する）分離法又は電気透析法や電解法によりＴＡＡイオンを好ましくは水酸化物の形（電解法では必然的に水酸化物の形となる）で回収し、得られる分離回収液を現像液に再利用する方法が提案され、実用化されている。
【特許文献１】特開平７−３２８６４２号公報
【特許文献２】特開平１１−１９２４８１号公報
【特許文献３】特開平１１−１９０９０７号公報
【特許文献４】特開２００２−３６１２４９号公報
【０００５】
このような方法を実施するに当たって、液体の移送は高コストとなるため、経済性の面からオンサイト（現場）でＴＡＡイオンを回収し、現像液を再生するような処理を行うのが望ましい。
【０００６】
ＴＡＡＨが大量に使用される半導体デバイスやＬＣＤ等のフラットパネルディスプレイの製造をはじめとする電子産業は、例えば、半導体デバイスについてはシリコンサイクルと称される様に景気の波が激しく、また、製造する製品群も少品種大量生産から多品種少量生産へと変化しているため、工場の生産ライン稼働率はその時々で大きく変化しやすい。従って、使用される純水や薬液、そして廃液量も変動しやすい。
【０００７】
純水製造装置や排水処理装置などの必須の設備は、生産量の変動を見越して生産ピーク時にも対応できる容量で設計されるのが一般的である。これに対して、フォトレジスト現像廃液の再生処理装置のような付加設備は、処理が間に合わなければ、排水処理や産廃業者引取りで対応可能なので、必ずしも生産ピーク時に対応できる容量で設計される必要はないが、平均ないし高い生産時期に合わせた設計となるのが一般的である。
【０００８】
従って、生産ラインの稼動率が低下するなどして、使用される現像液量が減少すると、排出される現像廃液量が減り、フォトレジスト現像廃液の再生処理装置の処理能力が排出される現像廃液量を上回る。このようなとき、この再生処理装置は運転／待機を繰り返すオンオフ運転状態となり、排出される現像廃液量が少なくなるほど再生処理装置の待機時間が長くなり長時間の待機（停止）状態となってしまう。
【０００９】
例えば、オンオフ運転状態では、フォトレジスト現像廃液の再生処理装置の分離回収装置の待機中に、フォトレジスト現像廃液又は該現像廃液に由来する処理液中に存在する不純物（特にフォトレジスト）が、分離回収装置の分離回収液側に拡散により移動し、再起動初期に分離回収液の不純物濃度が高くなり、再生現像液の品質不良や後段にカートリッジポリッシャー（ＣＰ）等の精製装置が設置される場合に精製装置の負荷上昇といった問題が生じる。
【発明の開示】
【発明が解決しようとする課題】
【００１０】
本発明は、従来の装置のこのような欠点を解消し、オンオフ運転状態となっても、再生現像液の品質不良の問題が生じず、後段にＣＰ等の精製装置が設置されるとしてもその負荷上昇といった問題が生じないフォトレジスト現像廃液の再生処理装置を提供することを目的とする。
【課題を解決するための手段】
【００１１】
本発明は、フォトレジスト及びＴＡＡイオンを少なくとも含む現像廃液又は該現像廃液に由来する処理液からＴＡＡイオンを分離回収する一段又は多段の分離回収装置、および、該分離回収装置の該一段からの分離回収液又は該多段の少なくとも第一段からの分離回収液を系外にブローする機構及び／又は該分離回収装置の前段に戻す機構を包含することを特徴とするフォトレジスト現像廃液の再生処理装置を提供するものである。ここで、分離回収液とは、そのまま又は更に何らかの処理を受けた後にＴＡＡＨ濃度を調整されて再生現像液として再利用され得るＴＡＡＨ回収溶液のことを言い、また、「フォトレジスト及びＴＡＡイオンを少なくとも含む現像廃液又は該現像廃液に由来する処理液」は、ＴＡＡイオン分離回収の「原液」である。
【００１２】
本発明のフォトレジスト現像廃液の再生処理装置における分離回収装置は、特に、（１）ＮＦ膜によりフォトレジスト等の不純物を多く含む濃縮液とＴＡＡイオンを主として含む透過液に分離する膜分離装置（以下、「ＮＦ膜分離装置」と言う）、（２）電気透析処理装置又は電解処理装置であるのが好ましい。ＮＦ膜分離装置は操作が簡易で低コストである特徴があり、電気透析処理装置又は電解処理装置はＴＡＡＨ濃度の高い濃縮液を得ることができる特徴がある。ＮＦ膜分離装置の場合の分離回収液とは、ＮＦ膜処理による透過液を指し、電気透析処理装置の場合の分離回収液は電気透析処理による濃縮液を指し、電解処理装置の場合の分離回収液は電解処理による濃縮液（陰極液）を指す。
【００１３】
ＴＡＡイオン及びフォトレジストを主として含有する現像廃液は、通常ｐＨ１２〜１４のアルカリ性を呈しており、フォトレジストはアルカリ性現像液中ではそのカルボキシル基やフェノール性水酸基等の酸基によりＴＡＡイオンとの塩の形で溶解している。本発明のフォトレジスト現像廃液の再生処理装置は、かかるアルカリ性の現像廃液にもそのまま用いることができる。
【００１４】
フォトレジスト現像廃液中のＴＡＡイオンは、各種電子部品を製造する際に使用するフォトレジストの現像液にアルカリとして用いられるＴＡＡＨに由来する。ＴＡＡＨとしては、例えば、水酸化テトラメチルアンモニウム（ＴＭＡＨ）、水酸化テトラエチルアンモニウム、水酸化テトラプロピルアンモニウム、水酸化テトラブチルアンモニウム、水酸化メチルトリエチルアンモニウム、水酸化トリメチルエチルアンモニウム、水酸化ジメチルジエチルアンモニウム、水酸化トリメチル（２−ヒドロキシエチル）アンモニウム（即ち、コリン）、水酸化トリエチル（２−ヒドロキシエチル）アンモニウム、水酸化ジメチルジ（２−ヒドロキシエチル）アンモニウム、水酸化ジエチルジ（２−ヒドロキシエチル）アンモニウム、水酸化メチルトリ（２−ヒドロキシエチル）アンモニウム、水酸化エチルトリ（２−ヒドロキシエチル）アンモニウム、水酸化テトラ（２−ヒドロキシエチル）アンモニウム等（特に、ＴＭＡＨ及びコリン）を挙げることができる。
【００１５】
前述したように、現像廃液中のＴＡＡイオンの対イオンの大部分は水酸化物イオンであるが、工場によっては、また、酸を添加してｐＨを低下させた場合には、その少量が他種の陰イオンに置換されてＴＡＡ塩となっていることがある。かかる他種の陰イオンとしては、例えば、弗化物イオン、塩化物イオン、臭化物イオン、炭酸イオン、炭酸水素イオン、硫酸イオン、硫酸水素イオン、硝酸イオン、燐酸イオン、燐酸水素イオン、燐酸二水素イオン等の無機陰イオン、及び、蟻酸イオン、酢酸イオン、蓚酸イオン等の有機陰イオンを挙げることができる。特に炭酸イオン、炭酸水素イオンは、空気中の炭酸ガスが現像廃液中に溶け込んで少量存在することが多い。但し、ｐＨが１２以上では殆どが炭酸イオンの形態で存在する。
【００１６】
「現像廃液に由来する処理液」は、現像廃液に対して各種の前処理を施して得られる処理液である。かかる前処理としては、例えば、逆浸透膜処理及び蒸発の少なくとも一つの濃縮方法で濃縮する処理や、イオン交換体と接触させて或る程度の不純物を吸着除去して処理液を得る処理を代表的なものとして挙げることができる。これらの前処理の工程を複数行う場合は、その順序は任意であり、例えば、目的に応じて適正な順序を選べばよい。ここで、「イオン交換体」は、陰イオン交換樹脂等の陰イオン交換体や陽イオン交換樹脂は勿論、キレート樹脂や、キレート形成基、陰イオン交換基又は陽イオン交換基を有する多孔性濾過膜をも含めた概念とする。
【００１７】
現像廃液が洗浄水（リンス水）などと混ざってそのＴＡＡＨ濃度が低くなっている場合、先ず現像廃液を逆浸透膜処理及び蒸発の少なくとも一つの濃縮方法で処理する濃縮処理工程を経て得られるＴＡＡＨが濃縮された濃縮液を現像廃液に由来する処理液（原液）として分離回収装置に送るのが好ましい。
【００１８】
分離回収液は、ＴＡＡＨ純度が高い場合はそのままＴＡＡＨ濃度の調整がされて再生現像液として再利用される。また、分離回収液をカートリッジポリッシャー（ＣＰ）等によるイオン交換処理、精密濾過膜処理（ＭＦ処理）、場合によっては後段で更に行ってもよいＮＦ膜処理や電気透析処理などに供した後、ＴＡＡＨ濃度の調整がされて再生現像液として再利用される。例えば、オンオフ運転状態となって、不純物を多く含むことになった再起動初期の分離回収液が後段に送られてしまうと、再生現像液の品質不良の問題が生じ、後段にＣＰ等の精製装置が設置される場合にその負荷上昇といった問題が生じる。そこで、本発明のフォトレジスト現像廃液の再生処理装置では、一段又は多段の分離回収装置の該一段からの分離回収液又は該多段の少なくとも第一段からの分離回収液を系外にブローする機構及び／又は分離回収装置の前段に戻す機構を設け、再起動初期の分離回収液を後段に送ることなく再生処理を再開する。分離回収装置が多段である場合に少なくとも第一段からの分離回収液を系外にブローする機構及び／又は分離回収装置の前段に戻す機構を設ける理由は、各段の分離回収装置に供される液の不純物（特にフォトレジスト）濃度は上流側のものほど高いため、オンオフ状態などになった場合に再起動初期の分離回収液の液質悪化の影響が第一段の分離回収液で最も大きくなるからである。但し、あらゆる場合に対応できるように多段の分離回収装置の全段についてそれらの分離回収液を系外にブローする機構及び／又は分離回収装置の前段に戻す機構を設けるような設計とするのが好ましい。
【００１９】
ここで、本明細書で言う「再起動」の意味を明らかにしておく。分離回収装置がオンオフ状態となって運転／待機を繰り返している時に、待機から運転に移行する状態を「再起動」と言うのは勿論のことである。一般に分離回収装置は自動運転するように制御されているので、運転／待機は自動的に繰り返される。但し、メンテナンスや装置異常などで手動操作する場合には、装置の運転は作業者の意思により運転（稼動）／停止（休止）が行われる。本明細書では、この時の停止（休止）から運転（稼動）に移行する状態も「再起動」と言うものとする。従って、装置停止（休止）から手動操作による切り替えで自動制御を含めた運転（稼動）に移行する場合も、本発明によれば、分離回収装置のその一段からの分離回収液又はその多段の少なくとも第一段からの分離回収液を系外にブロー及び／又は該分離回収装置の前段に戻すようにする。分離回収装置は後述の図２のシステムにおける様なバッチ式の処理を行う装置であってもよい。バッチ式の分離回収装置の場合は、液の受入／分離回収処理／排出などの工程が順次行われるため、液の受入や排出などの分離回収処理以外に多少の時間が必要で、その間は分離回収処理は行われず、見かけ上は分離回収処理が停止（休止）又は待機している状態になるが、その状態を含めて処理の工程は一連しているものであるから、この場合、見かけ上分離回収処理が再開されているようであっても、再起動ではない。但し、液の受入や排出などの工程が長時間かかり、見かけ上分離回収処理が停止（休止）又は待機している時間が長時間化する場合は、次の運転は「再起動」と言うものとする。要は、本発明の目的との関連で「再起動」の意味を考えることができる。
【００２０】
まず、分離回収装置がＮＦ膜分離装置の場合について詳しく説明する。ＮＦ膜分離装置は、一段方式の装置であっても、例えば、前記の特開平１１−１９２４８１号公報に開示される高回収率のための二段方式、高精製度のための二段方式、上記の二方式の組み合わせ方式などの多段方式の装置であってもよい。また、特開２００２−３６１２４９号公報に開示される二段方式の装置であってもよい。この場合、第一段の透過液がＴＡＡＨの分離回収液に相当する。第二段に送る分離回収液は第一段からのＴＡＡＨを主として含む透過液であり、この透過液を系外にブローする機構及び／又は該分離回収装置の前段に戻す機構を設ければよい。この第二段目のＮＦ膜分離装置では、その濃縮液がＴＡＡＨ回収液として再利用されており、ＴＡＡイオンを主として含む透過液に分離する膜分離装置としては機能していない。従って、本発明においては特開２００２−３６１２４９号公報に開示される様な二段ＮＦ膜処理は一段ＮＦ膜処理とみなすことができる。
【００２１】
ＮＦ膜分離装置に用いられるＮＦ膜は、０．２％（重量／容積）の塩化ナトリウム水溶液を被処理液として２５℃で分離処理した時の塩化ナトリウムの阻止率（除去率）が９０％以下の特性を有する分離膜であり、敢えて分画分子量で表すとすれば分画分子量が１００〜１０００の範囲内にあるのが好ましいが、ＮＦ膜と称されるものであり、フォトレジスト等の不純物が濃縮された濃縮液とＴＡＡイオンを主として含む透過液とに分離する機能を有する限り必ずしもこの範囲内に限定されない。ＴＡＡＨはＮＦ膜を透過してその殆どが透過液中に入って来るが、フォトレジストは余り又は殆どＮＦ膜を透過せず、大部分は濃縮液側に残存して濃縮されるので、フォトレジスト等の不純物を主として含む濃縮液とＴＡＡＨを主として含む透過液が得られる。ＮＦ膜分離装置は、比較的低コスト且つ操作が容易であるにも拘らず、ＴＡＡＨをかなりの程度精製できる点で好ましい。
【００２２】
ＮＦ膜分離装置に用いられるＮＦ膜としては、例えば、日東電工（株）製のＮＴＲ−７４１０、ＮＴＲ−７４５０、ＮＴＲ−７２５ＨＦ、ＮＴＲ−７２５０、ＮＴＲ−７２９ＨＦ、ＮＴＲ−７６９ＳＲ、東レ（株）製のＳＵ−２００Ｓ、ＳＵ−５００、ＳＵ−６００、フィルムテック社製のＮＦ−４５、ＮＦ−５５、ＮＦ−７０、ＮＦ−９０、デサリネーション社製のＤＥＳＡＬ−５Ｌ、ＤＥＳＡＬ−５Ｋ、トライセップ社製のＴＳ−８０、フルッドシステム社製のＴＦＣ−Ｓ、コーク・メンブレン・システムズ社製の「Ｓｅｌ  ＲＯ」シリーズのＭＰＦ−３６、ＭＰＴ−３６、ＭＰＳ−３６等を挙げることができる。
【００２３】
フォトレジストの濃縮液側への分離除去を主な目的としたＮＦ膜としては、その表面が負に帯電した膜を使用するのが好ましい。現像廃液やそれに由来する処理液中では、通常フォトレジストは陰イオンとして存在しているので、表面が負に帯電したＮＦ膜によればフォトレジストの阻止率（除去率）が向上し、且つ、ＮＦ膜面上へのフォトレジストの付着によるファウリング（汚染）が起き難い。また、一般に、ＮＦ膜は、現像廃液やそれに由来する処理液に含まれる可能性のある陰イオン系界面活性剤、非イオン系界面活性剤、陽イオン系界面活性剤等も濃縮液側に分離除去することも可能である。また、現像廃液やそれに由来する処理液の性状（例えば、界面活性剤が含まれる場合はその種類）に応じて、表面が正に帯電したＮＦ膜や中性のＮＦ膜を使用しても良いことは言うまでも無い。
【００２４】
ＮＦ膜の微粒子不純物等による目詰まりの虞を避けるために、ＮＦ膜の前段（好ましくは直前）に保安フィルターを設けるのが好ましい。
【００２５】
また、ＮＦ膜分離装置におけるＮＦ膜分離処理で得られる濃縮液にまだＴＡＡＨが多量に含まれている場合は、ＴＡＡＨの回収率を上げるために、後段でこの濃縮液を精製するため、更なるＮＦ膜処理や電気透析処理や電解処理等の各種処理を行ってもよい。
【００２６】
ＮＦ膜分離装置の後段に、例えば、後述する電気透析処理装置や電解処理装置、あるいはＣＰ等のイオン交換処理装置等の精製装置を設置してもよく、本発明によればＮＦ膜分離処理で得られる透過液（以下、時に「ＮＦ透過液」と言う）の純度が悪化しないので、このような精製装置の負荷が常に低くなる。また、ＮＦ透過液はかなり純度の高いＴＡＡＨ溶液であるので、これを電気透析や電解の濃縮用液（ＴＡＡＨ回収用液）として電気透析装置や電解装置の濃縮セルに通液し、一方、ＮＦ膜分離処理で得られる濃縮液（以下、時に「ＮＦ濃縮液」と言う）にかなりの量のＴＡＡＨが残存していれば、このＮＦ濃縮液を電気透析や電解の原液（ＴＡＡＨが脱塩される液）として上記の電気透析装置や電解装置の脱塩セルに通液してもよい。この場合、濃縮用液として（超）純水を用いる代わりにＮＦ透過液を用いるので、脱塩廃液として排出される排水の量を低減することができる点で有利である。さらに、電気透析や電解によって濃縮用液（ＴＡＡＨ回収用液）側に移動させるＴＡＡＨ量が少なくなり、ランニングコストの低減や装置の小型化が図れるという利点もある。
【００２７】
次に、分離回収装置が電気透析処理装置である場合について詳しく説明する。電気透析の原理や利用法については、例えば、前記の特開平１１−１９０９０７号公報に記載されている。電気透析装置では、陰極と陽極の間に陽イオン交換膜と陰イオン交換膜が交互に並べられて複数のセルを構成している。陰イオン交換膜を陰極に面した側に有するセルは濃縮セルとして機能し、ここではＴＡＡＨが濃縮されて濃縮液（以下、時に「ＥＤ濃縮液」と言う）となり、陰イオン交換膜を陽極に面した側に有するセルは脱塩セルとして機能し、ここではＴＡＡＨが減少して脱塩液（以下、時に「ＥＤ脱塩液」と言う）となる。この場合、濃縮セルからの分離回収液である濃縮液を系外にブローする機構及び／又は該電気透析処理装置（分離回収装置）の前段に戻す機構を設ける。
【００２８】
電気透析装置は、一般的に使用されているものを使用でき、これに使用されるイオン交換膜としては、陽イオンと陰イオンを選択的に分離できるものであれば特に限定されず、例えば、アシプレックス〔旭化成工業（株）製〕、セレミオン〔旭硝子（株）製〕、ネオセプタ〔徳山曹達（株）製〕、イオンクラッドＥＤＳメンブレン〔ポール（株）製〕、ナフィオン（デュポン社製）等を挙げることができる。また、イオン交換膜の特性も、一般的なものでよい。
【００２９】
電気透析装置の構造は、特に限定されず、例えば、陽イオン交換膜と陰イオン交換膜とを、脱塩される液の流入孔及び流出孔、濃縮される液の流入孔及び流出孔が設けられているガスケットで適当な間隔を保って交互に複数積層して複数のセルを構成し、両端を一組の電極で挟んで電気透析装置を構成すればよい。
【００３０】
ここで、陰イオン交換膜の代わりに、耐アルカリ性が陰イオン交換膜より優れるポリビニールアルコール系等の中性膜を用いてもよい。中性膜はイオン性官能基の無い単なる高分子膜であるが、これはＴＡＡイオンを通すもののその透過性は陽イオン交換膜より低いので、両者間の輸率の差を利用してＴＡＡイオンの電気透析による濃縮を行うことができるのである。但し、中性膜を陰イオン交換膜の代わりに用いた時は、陰イオン交換膜の場合に比べて電流効率は悪くなる。
【００３１】
電気透析処理装置は一回通液方式でもよいが、例えば、前記の特開平１１−１９０９０７号公報に記載されているような循環処理方式や多段処理方式を採ることもでき、また、回分式であっても半回分式であっても或いは連続式であってもよい。
【００３２】
電解の原理や利用法については、例えば、前記の特開平１１−１９０９０７号公報に記載されている。電解装置では、陰極と陽極の間に陽イオン交換膜が配置され、陰極セルと陽極セルを構成している。陰極セルは濃縮セルとして機能し、ＴＡＡＨが濃縮された濃縮液（陰極液）を生じる。一方、陽極セルは脱塩セルとして機能し、脱塩液（ＴＡＡイオンが希薄になった「希薄液」）を生じる。この場合、陰極セルからの分離回収液である濃縮液（陰極液）を系外にブローする機構及び／又は該電解処理装置（分離回収装置）の前段に戻す機構を設ける。
【００３３】
この様な電解処理装置は一回通液方式でもよいが、電気透析の場合と同じ様な循環処理方式や多段処理方式、また、回分式や半回分式や連続式を採ることもできる。また、複数の電解装置を直列に並べ、多段の電解処理装置を構成することもでき、少なくとも第一段からの分離回収液である濃縮液を系外にブローする機構及び／又は該電解処理装置（分離回収装置）の前段に戻す機構を設けることにより、本発明の目的を達成できるが、全段についてそれらの分離回収液である濃縮液を系外にブローする機構及び／又は該電解処理装置（分離回収装置）の前段に戻す機構を設けるのが、あらゆる場合に対応できるので好ましい。
【００３４】
なお、ここで「濃縮液」、「脱塩液」とは、ＴＡＡＨ含有量が増加するか減少するかによって使い分けられる用語であり、どちらのＴＡＡＨ濃度が高いか低いかを示すものではない。
【００３５】
ＮＦ膜処理、電気透析処理、電解処理の何れも膜を介してＴＡＡＨを分離回収する方法であり、特にフォトレジスト現像廃液の主たる不純物であるフォトレジストとＴＡＡＨの分離に適している。しかし、ＮＦ膜又はイオン交換膜などを介して分離回収液がフォトレジスト現像廃液又はそれに由来する処理液（原液）と接する時間が長くなるにつれて、フォトレジストをはじめとする不純物が拡散によって分離回収液中に入り込む。従って、オンオフ運転時などの再起動初期に、分離回収液は高濃度の不純物を含んでしまう。そこで、このような処理を実施する分離回収装置が所定時間以上停止した後に再起動する際、不純物を高濃度で含む分離回収液を所定量又は所定時間、系外にブローするか又は該分離回収装置の前段に戻す手段を設けるのが望ましい。かかる手段としては、タイマーや調節弁等を用い、好ましくは制御装置を用いる。かかる手段により、分離回収装置が所定時間以上停止した後に再起動する際、不純物を高濃度で含む分離回収液を所定量又は所定時間、系外にブローするか又は該分離回収装置の前段に戻してから通常の運転ラインに切り替え、分離回収液を後段に送るようにする。なお、オンオフ運転時などの再起動初期に分離回収液に移動して含まれる不純物の量は、現像廃液の性状（フォトレジスト濃度、ＴＡＡＨ濃度など）、膜種、装置待機（停止）時間等の条件によって異なり、また、移動不純物許容量も現場によって異なるため、それぞれの現場の仕様によって、不純物移動量を確認し、運転条件（所定停止時間、再起動初期のブロー又は前段戻しの所定時間や所定量）を設定すれば良い。
【００３６】
分離回収液は系外にブローしてもよいが、前段に戻し再処理した方が資源の有効利用の面で望ましい。但し、ブロー及び前段戻しの両機構を設けておくのがあらゆる場合に対応できるので好ましい。分離回収液に移動した不純物は元々現像廃液中に存在するので、前段に戻して再処理しても問題はない。戻し先は、現像装置以降であり且つ分離回収装置の前段であれば特に限定されないが、運転のしやすさから原液槽（例えば、現像廃液槽）等のタンクに戻すのが望ましい。
【発明の効果】
【００３７】
本発明のフォトレジスト現像廃液の再生処理装置によれば、フォトレジスト及びＴＡＡイオンを少なくとも含む現像廃液又は該現像廃液に由来する処理液からＴＡＡイオンを分離回収する分離回収装置を運転するに当たって、分離回収液を系外にブローする機構及び／又は該分離回収装置の前段に戻す機構を有することで、例えば、該分離回収装置がオンオフ運転状態となっても、後段に送る分離回収液の液質を良好に保ち、再生現像液の品質不良が生じないように、また、後段にＣＰ等の精製装置を設置した場合にその負荷上昇といった問題が生じないようにすることができる。
【発明を実施するための最良の形態】
【００３８】
次に、図面を参照しつつ発明を実施するための最良の形態を説明するが、本発明はこれらに限定されるものではない。
【００３９】
図１は本発明のフォトレジスト現像廃液の再生処理装置を含む現像液再生再利用システムの一例を示すフロー図である。現像装置（Ｄ）で発生した現像廃液をラインＬ１を通して一旦現像廃液（原液）槽（ＷＴ）に貯留し、図示されていないポンプでラインＬ２を通してＮＦ膜分離装置（ＮＦ）に送り、ここでＮＦ膜分離処理を行い、フォトレジスト等の不純物が濃縮されたＮＦ濃縮液とＴＡＡイオンを主として含むＮＦ透過液とを得る。
【００４０】
通常運転時は、ＮＦ膜分離装置（ＮＦ）からＮＦ透過液をラインＬ３を通して分離回収液（ＮＦ透過液）槽（ＲＴ）に送り、ここで一旦貯留して、図示されていないポンプによりラインＬ４を通して必要に応じてＣＰや精密濾過膜処理装置等の後段処理装置（ＰＴ）に送って処理し、更にラインＬ５を通してＴＡＡＨ濃度調節装置（ＴＣ）に送り、ここで所定のＴＡＡＨ濃度に調整して最終的な再生現像液を調製する。この再生現像液はラインＬ６を通して現像装置（Ｄ）に送られ、現像工程で再利用される。なお、ＣＰと精密濾過膜処理装置は、通常この順に配置する。
【００４１】
例えば、オンオフ運転状態となると、再起動初期のＮＦ透過液をラインＬ３とそれから分岐したラインＬ７とそれから分岐したブローラインＢＬ１を通して、必要に応じてＮＦ透過液を系外にブローしたり、ラインＬ３とそれから分岐したラインＬ７とそれから分岐した戻りラインＲＬ１を通して現像廃液槽（ＷＴ）に前段戻ししたりする。従って、図１の場合、本発明のフォトレジスト現像廃液の再生処理装置において、「分離回収装置」はＮＦ膜分離装置（ＮＦ）であり、「分離回収装置の該一段からの分離回収液又は該多段の少なくとも第一段からの分離回収液を系外にブローする機構」はラインＬ３、Ｌ７、ＢＬ１からなる配管系・バルブ系などであり、「分離回収装置の該一段からの分離回収液又は該多段の少なくとも第一段からの分離回収液を該分離回収装置の前段に戻す機構」はラインＬ３、Ｌ７、ＲＬ１からなる配管系・バルブ系などであり、本発明のフォトレジスト現像廃液の再生処理装置とは少なくともＮＦ膜分離装置（ＮＦ）とこれらの配管系・バルブ系などを包含する系と言うことになるが、ブローラインＢＬ１及び戻りラインＲＬ１の何れか一つを設けなくても本発明の装置となることは言うまでもない。
【００４２】
一方、ＮＦ濃縮液は、その残存ＴＡＡＨ量やフォトレジスト濃度などによるが、ラインＬ８とそれから分岐したブローラインＢＬ２を通して系外にブローするか、ラインＬ８とそれから分岐した戻りラインＲＬ２を通して現像廃液槽（ＷＴ）に前段戻しするか、かかる系外ブローとかかる前段戻しの両方を行う。
【００４３】
図１の現像液再生再利用システムには、必ずしも必須の構成要素ではないが、更に電気透析処理装置（ＥＤ）が含まれている。ＮＦ濃縮液にかなりの量のＴＡＡＨが残存している場合、例えば、ＮＦ透過液及び／又は純水を電気透析装置の濃縮セルに通液し、ＮＦ濃縮液を電気透析装置の脱塩セルに通液する。電気透析処理装置（ＥＤ）は、脱塩液槽と濃縮液槽と必要な配管系・ポンプなどを更に備えて、図２を参照して後述される様な循環式電気透析処理装置を構成していてもよい。電気透析処理により得られる濃縮液は、ラインＬ９を通して分離回収液槽（ＲＴ）に送られ、ＮＦ膜分離装置（ＮＦ）からラインＬ３を通して直接分離回収液槽（ＲＴ）に送られてきたＮＦ透過液があればそれと合流する。電気透析処理により得られる脱塩液は、ブローラインＢＬ３を通して系外にブローされる。電気透析処理装置（ＥＤ）を含むシステム構成の場合はＴＡＡＨ回収率が高くなる。また、オンオフ運転状態などとなった再起動初期のＮＦ透過液は電気透析装置の濃縮セルではなく、ラインＬ１０を経由してＮＦ濃縮液と共に電気透析装置の脱塩セルに通液することで、電気透析処理により得られる濃縮液の液質の悪化を防止できる。
【００４４】
図２は本発明のフォトレジスト現像廃液の再生処理装置を含む現像液再生再利用システムの他の一例を示すフロー図である。現像装置（Ｄ）で発生した現像廃液をラインＬ１１を通して一旦現像廃液（原液）槽（ＷＴ）に貯留し、図示されていないポンプでラインＬ１２を通して循環式電気透析処理装置に送り、電気透析処理を行い、フォトレジスト等の不純物を主として含む脱塩液とＴＡＡイオンを主として含む濃縮液とを得る。循環式電気透析処理装置では、脱塩液槽（ＤＴ）と電気透析装置本体（ＥＤ）の脱塩セルの間をラインＬ１８及びＬ１９を介して、脱塩液を図示されていないポンプで循環させ、また、濃縮液槽（ＣＴ）と電気透析装置本体（ＥＤ）の濃縮セルの間をラインＬ２０及びＬ２１を介して、濃縮液を図示されていないポンプで循環させる。例えば、脱塩液のＴＡＡＨ濃度或いは濃縮液のＴＡＡＨ濃度が所定の値になるまで循環を行いバッチ式で電気透析処理を実施することもできるが、立ち上げ運転の後には脱塩液のＴＡＡＨ濃度及び濃縮液のＴＡＡＨ濃度が所定の値を維持する様に連続的に現像廃液を脱塩液槽（ＤＴ）に送り且つ純水を濃縮液槽（ＣＴ）に送り、脱塩液槽（ＤＴ）から脱塩排水を、濃縮液槽（ＣＴ）からＥＤ濃縮液を少しずつ流出させて連続式で電気透析を実施することもできる。
【００４５】
分離回収液としてのＥＤ濃縮液は、通常運転時はラインＬ１３を通して分離回収液（ＥＤ濃縮液）槽（ＲＴ）に送られ、ここに一旦貯留後にラインＬ１４を通してＣＰや精密濾過膜処理装置等の後段処理装置（ＰＴ）に送られて処理された後、ラインＬ１５を通してＴＡＡＨ濃度調節装置（ＴＣ）に送られ、ここで所定のＴＡＡＨ濃度に調整して最終的な再生現像液を調製する。この再生現像液はラインＬ１６を通して現像装置に送られ、現像工程で再利用される。なお、ＣＰと精密濾過膜処理装置は、通常この順に配置する。
【００４６】
例えば、オンオフ状態となった時は、濃縮液槽（ＣＴ）を出た再起動初期の濃縮液はラインＬ１３とそれから分岐したラインＬ１７及びブローラインＢＬ１１を通して系外にブローされるか、ラインＬ１３とそれから分岐したラインＬ１７及び戻りラインＲＬ１１を通して現像廃液槽（ＷＴ）に前段戻しされる。従って、図２の場合、本発明のフォトレジスト現像廃液の再生処理装置において、「分離回収装置」は電気透析処理装置であり、「分離回収装置の該一段からの分離回収液又は該多段の少なくとも第一段からの分離回収液を系外にブローする機構」はラインＬ１３、Ｌ１７、ＢＬ１１からなる配管系・バルブ系などであり、「分離回収装置の該一段からの分離回収液又は該多段の少なくとも第一段からの分離回収液を該分離回収装置の前段に戻す機構」はラインＬ１３、Ｌ１７、ＲＬ１１からなる配管系・バルブ系などであり、本発明のフォトレジスト現像廃液の再生処理装置とは少なくとも電気透析処理装置とこれらの配管系・バルブ系などを包含する系と言うことになるが、ブローラインＢＬ１１及び戻りラインＲＬ１１の何れか一つを設けなくても本発明の装置となることは言うまでもない。
【００４７】
一方、ＴＡＡＨ濃度の低下したＥＤ脱塩液はブローラインＢＬ１２を通して系外にブローされるのが通常である。
【００４８】
図１及び図２のいずれのシステムの場合も、後段処理装置としてＣＰ等のイオン交換処理装置を設けるのが好ましい。この場合には、好ましくは水酸化物イオン形の陰イオン交換樹脂とＨイオン形又はＴＡＡイオン形陽イオン交換樹脂を用いる。陰イオン交換樹脂としては、特にフォトレジスト除去効率の点ではスチレン系陰イオン交換樹脂が、また、強塩基性陰イオン交換樹脂が好ましいが、これらに限定されない。陽イオン交換樹脂としては、処理効率の点でスチレン系やアクリル系等の陽イオン交換樹脂が好ましく、また、弱酸性陽イオン交換樹脂でも強酸性陽イオン交換樹脂のいずれでもよい。なお、Ｈイオン形陽イオン交換樹脂は、分離回収液の通液の時間経過とともにＴＡＡイオン形となるので、実質的にはＴＡＡイオン形陽イオン交換樹脂を用いていることになる。また、両イオン交換樹脂の混床のＣＰを用いるのが好ましいが、陰イオン交換樹脂カラム又は陽イオン交換樹脂カラムを単独で用いたり、両カラムをこの順に用いてもよい。
【００４９】
後段処理装置として０．０３〜１μｍ程度の細孔径を有するＰＥ、ＰＰ又はＰＴＦＥ製のフィルター等を用いた精密濾過膜処理装置を設けるのが好ましいが、限外濾過膜処理装置等の他の膜処理装置を用いてもよい。この場合、元々現像廃液中に存在する微粒子を除去できると共に、ポンプ、場合によっては更に電気透析装置や電解装置、イオン交換樹脂等から微粒子が混入してきても、これを確実に除去できるので好ましい。なお、上記の様な膜処理装置の前段にＴＡＡＨ溶液の脱気脱泡を行う膜脱気装置等の脱気脱泡装置を配置するのが膜処理装置の差圧上昇を防ぎ、膜の寿命を長くする点で好ましい。
【００５０】
以下、実施例により本発明を具体的に説明するが、本発明はこれらに限定されるものではない。
【実施例１】
【００５１】
液晶ディスプレイ製造工場から排出されたフォトレジスト現像廃液を用いて試験を行った。この現像廃液の性状は、ＴＭＡ−ＯＨ（ＴＭＡＨ）＝１．９重量％、（ＴＭＡ）２−ＣＯ３＝０．１重量％、フォトレジスト由来の吸光度Abs290nm(1cm) ＝４．７であった。ここで、Abs290nm(1cm)とは、分光光度分析法により光路長１ｃｍの石英セルを使用し、純水をリファレンス(Abs=0.00)として波長２９０ｎｍで測定した吸光度の値である。
【００５２】
日東電工株式会社製ＮＴＲ−７４５０（４インチＮＦ膜モジュール）を使用し、運転濾過圧＝１ＭＰａ、ＮＦ透過液回収率＝３３％、液温＝３０℃で上記現像廃液を処理した。定常運転後、装置を３時間停止させた後、再運転した。このとき再運転開始から５分間は透過液を原液槽に戻し、その後に通常運転とした。表１に再起動後５分経過後の透過液（後段に送る）、連続運転時の透過液（後段に送る）、再起動直後の透過液（前段に戻すかブローする）、再起動後３分経過後の透過液（前段に戻すかブローする）の液質を示す。
【００５３】
【表１】
2005175118.tif 000003
【００５４】
再起動直後の透過液はフォトレジスト由来の吸光度(Abs290nm)が高く、この透過液にはフォトレジストが多く含まれているが、その透過液を前段の原液槽に戻すことで、後段に送られるＮＦ透過液の液質は常に良好に保たれる。
【実施例２】
【００５５】
実施例１と同じフォトレジスト現像廃液を用いて試験を行った。電気透析装置としては旭化成工業株式会社製マイクロ・アシライザーＧ３を使用し、陽イオン交換膜としては旭化成工業株式会社製アシプレックスＫ−５０１を使用し、陰イオン交換膜の代わりに旭化成工業株式会社製の中性膜であるアシプレックスＰＶＡ＃１００を使用した。電圧＝１２Ｖ、ＴＭＡＨ回収率＝９０％、ＥＤ濃縮液（分離回収液）のＴＭＡＨ濃度が２．４重量％となる条件で、図２に示す様なシステム構成でバッチ循環運転処理を繰り返した後、装置を３時間停止させ、運転を再開した。このとき再起動直後の１バッチ目の濃縮液を原液槽に戻し、以降のバッチから通常運転とした。表２に、停止再起動後２バッチ目の濃縮液（後段に送る）、連続処理中のバッチ濃縮液（後段に送る）、再起動直後の１バッチ目の濃縮液（前段に戻すかブローする）の液質を示す。
【００５６】
【表２】
2005175118.tif 000004
【００５７】
再起動直後の１バッチ目の濃縮液はフォトレジスト由来の吸光度(Abs290nm)が高く、この濃縮液にはフォトレジストが多く含まれているが、２バッチ目の濃縮液のフォトレジスト濃度は低下しており、１バッチ目の濃縮液を前段の原液槽に戻すことで、後段に送るＥＤ濃縮液の液質は常に良好に保たれる。
【産業上の利用可能性】
【００５８】
本発明によれば、フォトレジスト及びＴＡＡイオンを少なくとも含む現像廃液又は該現像廃液に由来する処理液からＴＡＡイオンを分離回収する分離回収装置に、分離回収液を系外にブローしたり該分離回収装置の前段に戻す機構を備えることで、本発明のフォトレジスト現像廃液の再生処理装置がオンオフ運転状態などとなっても、後段に送る分離回収液の液質を良好に保ち、良質な再生現像液を調製することができる。そのため、この再生現像液は、半導体デバイス、液晶ディスプレイ（ＬＣＤ）やプラズマディスプレイパネル（ＰＤＰ）等のフラットパネルディスプレイ、プリント基板等の電子部品の製造におけるフォトリソグラフィーの現像工程の現像液として再利用でき、本発明の再生処理装置はこれらの分野に適用できる。
【図面の簡単な説明】
【００５９】
【図１】図１は本発明のフォトレジスト現像廃液の再生処理装置を含む現像液再生再利用システムの一例を示すフロー図である。
【図２】図２は本発明のフォトレジスト現像廃液の再生処理装置を含む現像液再生再利用システムの他の一例を示すフロー図である。
【符号の説明】
【００６０】
Ｄ      現像装置
ＷＴ    現像廃液（原液）槽
ＮＦ    ＮＦ膜分離装置
ＲＴ    分離回収液槽
ＰＴ    後段処理装置
ＴＣ    ＴＡＡＨ濃度調節装置
ＥＤ    電気透析（処理）装置
ＤＴ    脱塩液槽
ＣＴ    濃縮液槽
ＢＬ１、ＢＬ１１  ブローライン
ＲＬ１、ＲＬ１１  戻りライン
【図１】
2005175118.tif 000005
【図２】
2005175118.tif 000006
【手続補正書】
【提出日】平成15年12月15日(2003.12.15)
【手続補正１】
【補正対象書類名】図面
【補正対象項目名】図１
【補正方法】変更
【補正の内容】
【図１】
2005175118.tif 000007